(57)【要約】【課題】木造住宅に屋根を平面に作り多目的に活用出来る様に改良した。【解決手段】木造住宅屋上スラブに２度の勾配を取り、防水下地を作る。１勾配タルキ、２コンパネ３０ｍｍ、３スタイロホーム４０ｍｍ、４ケイサンカルシューム板１０ｍｍ、６シート防水２ｍｍ、７モルタル目地、８軽量耐火モルタル５０ｍｍ、以上の施工順序で仕上がりとなる。木造住宅屋上広場の設置、建築物は全て完全防水と防火に配慮する。【選択図】    図１
0003112449.tif 000002
【実用新案登録請求の範囲】
【請求項１】
木造住宅屋上スラブに２度の勾配を取り、防水下地を作る。１、勾配タルキ。２、コンパネ、３０ｍｍ。３、スタイロホーム、４０ｍｍ。４、ケイサンカルシューム板、１０ｍｍ。６、シート防水、２ｍｍ。７、モルタル目地。８、軽量耐火モルタル、５０ｍｍ。以上の施工順序で仕上がりとなる。木造住宅屋上広場の設置。建築物は全て、完全防水と防火に配慮する。
【請求項２】
屋上広場に昇り降りする階段は、ペントハウス内に設置。請求項１記載の木造住宅屋上広場の設置。
【考案の詳細な説明】
【技術分野】
【０００１】一般木造住宅の二階、三階建てに対し、屋根を平面に作り屋上広場として利用する事を目的とする。
【背景の技術】
【０００２】一般の木造住宅では、敷地面積が、３０坪から４０坪の家が一番多く、中には２０坪から２５坪と狭い物もある。この様な邸宅が建替えする時、最も適合するのが屋上広場を作る事である。従来の木造建築では、三角屋根に統一されてきましたが、瓦屋根等では何の利用度もない。
【考案の開示】
【考案が解決しようとする課題】
【０００３】狭い敷地内に家を建てる事で大部分の面積が消える。その全面積を屋上広場として活用出来る。今までの木造建築では考えられなかった夢の空間を作った所に課題の解決がある。
【課題が解決するための手段】
【０００４】請求項１に記載の完全防水とスタイロホームによる階下への断熱処理、シート防水保護のためのモルタル施工により、半永久的な建物を提供することが出来る。
【考案の効果】
【０００５】屋根が平面なため、台風・嵐に強い建物となる特徴がある。また、保護材としてモルタルを使うが、重量的見地からも瓦屋根と同等である。その他、雪等の重量がかかっても、柱・梁・スジカイ等の強化により、十分耐え得る建物とする事が出来る。
【考案を実施するための最良の形態】
【０００６】図１はＡ−Ａ線２６を頂点として両側に傾斜を設け、排水を容易に出来る形とし、水下のドレイン９に集水する。更に太陽熱の階下への影響を防ぐため、スタイロホーム４０ｍｍ３を使用した。屋上スラブに立ち上るペントハウス２１は、屋上広場に昇り降りする唯一の設備である。
図２は屋上スラブの断面を拡大した図とパラペット１１に付いて、６は立ち上りのシート防水、８は立ち上りのモルタル、１２は笠木、１３はアンカーボルト、１４は外周フェンス、１９は桁等の断面図である。
図３は、屋上の全形と、ドレイン９の配置、階段１６、踊場１７、出入口２２、モルタル目地７の取り方と外周フェンス１４等の平面図である。
【図面の簡単な説明】
【０００７】
【図１】  屋上棟断面図
【図２】  屋上スラブ断面図
【図３】  屋上広場平面図
【符号の説明】
１  勾配タルキ
２  コンパネ、３０ｍｍ
３  スタイロホーム、４０ｍｍ
４  ケイサンカルシューム板、１０ｍｍ
５  デスク板
６  防水シート、２ｍｍ
７  モルタル目地
８  軽量耐火モルタル、５０ｍｍ
９  ルーフドレイン
１０  排水パイプ
１１  パラペット
１２  笠木
１３  アンカーボルト
１４  外周フェンス
１５  パイプヒカエ
１６  階段
１７  踊場
１８  ステンビス、７５ｍｍ
１９  桁
２０  屋根勾配、２度
２１  ペントハウス
２２  出入口
２３  立ち上り防水目地
２４  窓
２５  庇
２６  棟Ａ線
【図１】
0003112449.tif 000003
【図２】
0003112449.tif 000004
【図３】
0003112449.tif 000005
【手続補正書】
【提出日】平成17年5月26日(2005.5.26)
【手続補正１】
【補正対象書類名】実用新案登録請求の範囲
【補正対象項目名】全文
【補正方法】変更
【補正の内容】
【実用新案登録請求の範囲】
【請求項１】
二、三階建て木造住宅において、両側に排水を容易にできる勾配を有する平面状の屋上スラブを設け、該屋上スラブは、前記勾配を与える勾配タルキ、コンパネ、スタイロホーム、ケイサンカルシウム板、防水シート、モルタル目地、軽量耐火モルタルの順序で仕上げて完全防水と防火とし、且つ該屋上スラブには屋内に通ずる階段付きの出入口が設けられていることを特徴とする、二、三階建て木造住宅の屋上広場の構造。
【請求項２】
屋上広場の出入口に設けた昇降する階段は、ペントハウス内に設置したことを特徴とする、請求項１記載の二、三階建て木造住宅の屋上広場の構造。
【手続補正２】
【補正対象書類名】明細書
【補正対象項目名】全文
【補正方法】変更
【補正の内容】
【考案の詳細な説明】
【技術分野】
【０００１】
本考案は、一般の二、三階建て木造住宅に対して、スラブ（屋根）を三角屋根でなく、排水が容易にできる勾配を有する平面状に作って屋上広場として利用することに関する。
【背景技術】
【０００２】
従来、一般の木造住宅では、敷地面積が３０坪から４０坪と狭いものもある。このような邸宅が建替えする時に最も適合するのが、屋上広場を作ることを考えることである。
従来工法による木造建築では、三角屋根に統一されてきていたが、三角状の瓦屋根等では屋上広場として何の利用度もない。
【考案の開示】
【考案が解決しようとする課題】
【０００３】
木造住宅では、狭い敷地内に家を建てることで大部分の敷地面積が消えるのが現状である。
今までの木造住宅では到底考えられなかった夢の空間を作ったことに本考案の課題がる
。
【課題を解決するための手段】
【０００４】
本考案者等は上記課題について種々検討した結果、二、三階建て木造住宅において、両側に排水を容易にできる勾配、代表的には２度の勾配を有する平面状の屋上スラブ（屋根）を設け、前記勾配を有する勾配タルキと完全防水加工とスタイロホーム（ガラス繊維断熱材）による階下への断熱処理、シート防水保護のためのモルタル目地等によるモルタル施工を行うことにより、半永久的な木造建物を提供できるできることを見出し本考案を発見した。
即ち、本発明は；
（１）二、三階建て木造住宅において、棟Ａ線を境界にして排水を容易にできる勾配を有する平面状の屋上スラブを設け、該屋上スラブは、前記勾配を与える勾配タルキ、コンパネ、スタイロホーム、ケイサンカルシウム板、防水シート、モルタル目地、軽量耐火モルタルの順序で仕上げて完全防水と防火とし、且つ該屋上スラブには屋内に通ずる階段付きの出入口が設けられていることを特徴とする、二、三階建て木造住宅の屋上広場の構造に特徴を有する。また、            （２）屋上広場の出入口に設けた昇降する階段は、ペントハウス内に設置した点に特徴を有する。
【０００５】
本考案は、下記の実施の態様をも包含する。
（１）請求項１、２において、屋上広場の周りに外周フェンスを有する点にも特徴を有する。
（２）請求項１、２において、柱、梁、スジカイ等を強化する点にも特徴を有する。
（３）請求項１、２において、屋上広場の隅にルーフドレインを設ける点に特徴を有する。
【考案の効果】
【０００６】
（１）本考案の二、三階建て木造住宅の屋上広場の構造では、屋根が平面状なために台風、嵐に強い建物となる効果がある。
（２）保護材としてモルタルを使うと、重量的見地からも瓦屋根と同等の強度を有する効果がある。
（３）雪等の重量がかかっても、柱、梁、スジカイ等の強化により、十分に耐え得る建物を提供できる効果がある。
【考案を実施するための最良の形態】
【０００７】
以下、本考案を詳細に説明する。
図１、２に基づいて本考案の二、三階建て木造住宅の屋上広場の構造を説明する。
図１は、屋上棟断面図である。
図１において、棟Ａ線２６を頂点として両側に容易に排水できる所定の傾斜（図１では２°）を設け、水下のルーフドレイン９に集水する。
更に、太陽熱の階下への影響を防ぐために、スタイロホームを設けた。屋上スラブに立ち上がるペントハウス２１は、屋上広場に昇降するための唯一の設備である。
更に、排水設備等について説明する。
屋上広場の両側にパラペット（腰壁）を設け、屋上スラブとして立ち上がりの防水シート６、立ち上がりの軽量耐火モルタル８、笠木１２、アンカーボルト１３、外周フェンス１４、桁１９等の断面を示す。
【０００８】
図２は、屋上広場の平面図である。
図２において、ルーフドレイン９の穴を両側に配置し、屋上の出入口２２に通じる階段１６、踊場１７、モルタル目地７、両側に外周フェンス１４を設けた。
【図面の簡単な説明】
【０００９】
【図１】屋上棟断面図である。
【図２】屋上広場の平面図である。
【符号の説明】
【００１０】
１  勾配タルキ
２  コンパネ（構造用ベニヤ板）
３  スタイロホーム（ガラス繊維断熱材）
４  ケイサンカルシウム板（無機質ボード）
５  デスク板
６  防水シート
７  モルタル目地
８  軽量耐火モルタル
９  ルーフドレイン
１０  排水パイプ
１１  パラペット（腰壁）
１２  笠木
１３  アンカーボルト
１４  外周フェンス
１５  パイプヒカエ（支柱）
１６  階段
１７  踊場
１８  ステンビス
１９  桁
２０  屋根勾配（２°）
２１  ペントハウス（階段室）
２２  出入口
２３  立ち上がり防水目地
２６  棟Ａ線
【手続補正３】
【補正対象書類名】図面
【補正対象項目名】全図
【補正方法】変更
【補正の内容】
【図１】
0003112449.tif 000006
【図２】
0003112449.tif 000007